(57)【要約】【課題】３以上の空間周波数帯域ごとに輪郭強調処理やノイズ低減処理に関する補正情報の各々を独立して設定可能にすること。【解決手段】画像処理装置は、第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定可能な設定部と、前記設定部によって設定された各補正情報に基づいて、画像データを補正する補正部と、を有する。【選択図】図１
2019220746.tif 000002
【特許請求の範囲】
【請求項１】
第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定可能な設定部と、
前記設定部によって設定された各補正情報に基づいて、画像データを補正する補正部と、
を有する画像処理装置。
【請求項２】
請求項１に記載の画像処理装置であって、
前記設定部は、表示する画像の表示倍率に基づいて、前記各補正情報を設定する、画像処理装置。
【請求項３】
請求項２に記載の画像処理装置であって、
前記設定部は、前記第１空間周波数帯域、前記第２空間周波数帯域、および前記第３空間周波数帯域のうち、前記表示倍率に基づく特定の空間周波数帯域について前記各補正情報を設定する、画像処理装置。
【請求項４】
請求項１に記載の画像処理装置であって、
前記設定部は、被写体の撮影シーンに基づいて、前記各補正情報を設定する、画像処理装置。
【請求項５】
請求項１に記載の画像処理装置であって、
前記設定部は、被写体の認識結果に基づいて、前記各補正情報を設定する、画像処理装置。
【請求項６】
請求項５に記載の画像処理装置であって、
前記認識結果に基づいて、前記被写体の画像を複数の領域に分割する分割部を有し、
前記設定部は、分割部によって分割された領域ごとに、前記各補正情報を設定する、画像処理装置。
【請求項７】
請求項１に記載の画像処理装置であって、
前記補正情報は、前記画像データの輪郭強調処理を制御する情報を含み、
前記補正部は、前記各補正情報に基づいて、前記画像データについて前記輪郭強調処理を実行する、画像処理装置。
【請求項８】
請求項７に記載の画像処理装置であって、
前記輪郭強調処理は、前記輪郭成分を弱める処理を含む、画像処理装置。
【請求項９】
請求項１に記載の画像処理装置であって、
前記補正情報は、前記画像データのノイズ低減処理を制御する情報を含み、
前記補正部は、前記各補正情報に基づいて、前記画像データについて前記ノイズ低減処理を実行する、画像処理装置。
【請求項１０】
請求項１に記載の画像処理装置であって、
前記設定部は、前記各補正情報を一括して設定する、画像処理装置。
【請求項１１】
請求項１０に記載の画像処理装置であって、
前記設定部は、前記各補正情報と連動する特定の補正情報を指定可能な指定範囲を表示画面に表示させ、前記指定範囲内の特定の補正情報が指定されると前記各補正情報を一括して設定する、画像処理装置。
【請求項１２】
請求項１に記載の画像処理装置であって、
送信先を選択する選択部を有し、
前記設定部は、前記選択部によって選択された特定の送信先に基づいて、前記各補正情報を設定する、画像処理装置。
【請求項１３】
請求項１２に記載の画像処理装置であって、
前記補正部によって補正された補正後の画像データを前記特定の送信先に送信する送信部を有する画像処理装置。
【請求項１４】
請求項１２に記載の画像処理装置であって、
複数の前記送信先の各々について前記画像データを生成する生成部と、
前記生成部によって生成された画像データを送信する送信部と、を有し、
前記設定部は、前記画像データの複数の送信先の各々について、前記送信先に基づいて前記各補正情報を設定し、
前記補正部は、前記複数の送信先の各々の画像データについて、前記送信先に基づいて設定された前記各補正情報を用いて補正し、
前記送信部は、前記補正部によって補正された複数の画像データのうち、前記特定の送信先について補正された画像データを、前記特定の送信先に送信する、画像処理装置。
【請求項１５】
送信先を選択する選択部と、
第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を、前記選択部によって選択された送信先に基づいて、独立に設定する設定部と、
前記設定部によって設定された各補正情報と、前記各補正情報を用いる補正対象の画像データとを、前記送信先に送信する送信部と、
を有する情報処理装置。
【請求項１６】
被写体を撮像する撮像部と、
第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定可能な設定部と、
前記設定部によって設定された各補正情報に基づいて、前記撮像部から出力される画像データを補正する補正部と、
を有する撮像装置。
【請求項１７】
第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定する設定処理と、
前記設定処理によって設定された各補正情報に基づいて、画像データを補正する補正処理と、
をプロセッサに実行させる画像処理プログラム。
【発明の詳細な説明】
【技術分野】
【０００１】
本発明は、画像処理装置、情報処理装置、撮像装置、および画像処理プログラムに関する。
【背景技術】
【０００２】
従来、画像データに含まれる高周波成分および低周波成分により、輪郭強調やノイズ低減をおこなう撮像装置が開示されている（たとえば、下記特許文献１を参照）。
【先行技術文献】
【特許文献】
【０００３】
【特許文献１】特開２００９−２１８６２号公報
【発明の概要】
【０００４】
本願において開示される発明の一側面となる画像処理装置は、第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定可能な設定部と、前記設定部によって設定された各補正情報に基づいて、画像データを補正する補正部と、を有する。
【０００５】
本願において開示される発明の一側面となる情報処理装置は、送信先を選択する選択部と、第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を、前記選択部によって選択された送信先に基づいて、独立に設定する設定部と、前記設定部によって設定された各補正情報と、前記各補正情報を用いる補正対象の画像データとを、前記送信先に送信する送信部と、を有する。
【０００６】
本願において開示される発明の一側面となる撮像装置は、被写体を撮像する撮像部と、第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定可能な設定部と、前記設定部によって設定された各補正情報に基づいて、前記撮像部から出力される画像データを補正する補正部と、を有する。
【０００７】
本願において開示される発明の一側面となる画像処理プログラムは、第１空間周波数帯域の輪郭成分、前記第１空間周波数帯域内の第１空間周波数よりも低い第２空間周波数を含む第２空間周波数帯域の輪郭成分、および前記第２空間周波数よりも低い第３空間周波数を含む第３空間周波数帯域の輪郭成分の各々についての各補正情報を独立に設定する設定処理と、前記設定処理によって設定された各補正情報に基づいて、画像データを補正する補正処理と、をプロセッサに実行させる。
【図面の簡単な説明】
【０００８】
【図１】図１は、画像の輪郭強調例を示すグラフである。
【図２】図２は、画像の各輪郭強調の設定情報の一例を示す説明図である。
【図３】図３は、画像の輪郭強調設定の設定画面例を示す説明図である。
【図４】図４は、表示倍率ごとのクイック輪郭強調例１を示す説明図である。
【図５】図５は、表示倍率ごとのクイック輪郭強調例２を示す説明図である。
【図６】図６は、表示倍率ごとのクイック輪郭強調例３を示す説明図である。
【図７】図７は、撮像装置のハードウェア構成例を示すブロック図である。
【図８】図８は、実施例１にかかる撮像装置の機能的構成例を示すブロック図である。
【図９】図９は、実施例１にかかる輪郭強調処理手順例を示すフローチャートである。
【図１０】図１０は、実施例２にかかる輪郭強調処理手順例を示すフローチャートである。
【図１１】図１１は、撮像装置と送信先とが通信可能に接続された通信システムの一例を示す説明図である。
【図１２】図１２は、設定情報を示す説明図である。
【図１３】図１３は、実施例３にかかる撮像装置の機能的構成例を示すブロック図である。
【図１４】図１４は、送信先選択画面の一例を示す説明図である。
【図１５】図１５は、実施例３にかかる輪郭強調処理手順例１を示すフローチャートである。
【図１６】図１６は、実施例３にかかる輪郭強調処理手順例２を示すフローチャートである。
【図１７】図１７は、実施例４にかかる撮像装置の機能的構成例を示すブロック図である。
【図１８】図１８は、実施例４にかかる情報処理手順例１を示すフローチャートである。
【図１９】図１９は、実施例４にかかる情報処理手順例２を示すフローチャートである。
【図２０】図２０は、分割領域の輪郭強調例を示す説明図である。
【図２１】図２１は、実施例５にかかる撮像装置の機能的構成例を示すブロック図である。
【図２２】図２２は、実施例５にかかる輪郭強調処理手順例を示すフローチャートである。
【発明を実施するための形態】
【実施例１】
【０００９】
＜画像の輪郭強調例＞
図１は、画像の輪郭強調例を示すグラフである。グラフ１０１〜１０４は、画像の輪郭成分の強調度と空間周波数との関係を示す。グラフ１０１〜１０４の縦軸１１１が輪郭成分の強調度を示し、横軸１１２が空間周波数を示す。第１グラフ１０１は、空間周波数の高周波数帯域における輪郭成分を強調（第１輪郭強調）するためのグラフである。第１輪郭強調は、いわゆる一般的な輪郭強調処理であり、５０％以上、特に１００％程度の表示倍率などで好適な解像感が得られる。なお、輪郭強調とは、輪郭成分を強調する処理のほか、輪郭成分を弱める処理も含む。
【００１０】
第２グラフ１０２は、空間周波数の中周波数帯域における輪郭成分を強調（第２輪郭強調）するためのグラフである。第２輪郭強調は、特に２５〜５０％程度の表示倍率などで好適な解像感が得られる。第３グラフ１０３は、空間周波数の低周波数帯域における輪郭成分を強調（第３輪郭強調）するためのグラフである。第３輪郭強調は、いわゆる一般的な明瞭度調整処理であり、特に２５％以下の表示倍率などで好適な解像感が得られる。第４グラフ１０４は、空間周波数の低周波数帯域〜高周波数帯域における輪郭成分、すなわち、画像のコントラストを調整するためのグラフである。
【００１１】
ユーザは、第１グラフ１０１〜第３グラフ１０３で示すような、各空間周波数帯域の強調度をそれぞれ独立して縦軸１１１の方向に調整することができる。たとえば、ユーザが、第１グラフ１０１〜第３グラフ１０３の縦軸１１１の方向の値を調整することにより、画像の輪郭成分を強調したり、弱めたりすることができる。
【００１２】
なお、図１では、高周波数帯域、中周波数帯域、および低周波数帯域の３つの空間周波数帯域で輪郭強調の設定を可能にする例を挙げたが、４つ以上の空間周波数帯域で輪郭強調の設定を可能にしてもよい。また、各空間周波数帯域は一部が重複していてもよい。
【００１３】
図２は、画像の各輪郭強調の設定情報の一例を示す説明図である。図２では、図１に示した第１グラフ１０１〜第３グラフ１０３の各々の調整を一括しておこなうクイック輪郭強調の例を示す。設定情報２００は、後述する記憶デバイス７０２に記憶される。設定情報２００では、画像データの輪郭強調処理を調整する補正情報として、変更可能な設定値が規定される。
【００１４】
クイック輪郭強調の設定値は、たとえば、−２から＋２の範囲で設定可能である。また、第１輪郭強調〜第３輪郭強調の各設定値は、クイック輪郭強調の設定値に応じて変動する。第１輪郭強調〜第３輪郭強調の各設定値は、図１の縦軸１１１に対応しており、設定値が高いほど第１グラフ１０１〜第３グラフ１０３の縦軸１１１の値が高くなり、画像の各周波数帯域の輪郭成分が強調される。
【００１５】
また、第１輪郭強調〜第３輪郭強調の各設定値は、負の値にも設定可能である。たとえば、第１輪郭強調の設定値を負の値に設定することにより、画像の輪郭成分を弱めて、ソフトに仕上げることができる。また、第２輪郭強調および第３輪郭強調の設定値を負の値に設定することにより、画像のコントラストを下げてソフトに仕上げることができる。
【００１６】
クイック輪郭強調のそれぞれの３つの値は、画像のどの表示倍率でも解像感が変わらないような設定値が決められている。そのため、どの表示倍率でも好適な解像感を得ることができる。たとえば、ユーザが、クイック輪郭強調の設定値を「＋２」に設定すると、高周波数帯域は「５」、中周波数帯域は「４．５」、低周波数帯域は「３」に設定される。このように、３つの空間周波数帯域の輪郭成分をそれぞれ適切に強調するため、画像内の幅広い空間周波数をもった被写体の輪郭成分を強調できる。画像がどの表示倍率であっても、画像内の被写体の輪郭成分が強調された、換言すれば、輪郭成分が際立って明瞭に見える画像（いわゆる、くっきりとした画像）に補正される。
【００１７】
また、ユーザが、クイック輪郭強調の設定値を「−２」に設定すると、高周波数帯域は「−０．５」、中周波数帯域は「−１」、低周波数帯域は「−１」に設定される。これにより、画像がどの表示倍率であっても、画像内の被写体の輪郭成分が弱められた、換言すれば、被写体がやわらかに見える画像に補正される。このように、３つの空間周波数帯域の輪郭成分をそれぞれ適切に強調するため、画像内の幅広い空間周波数をもった被写体の輪郭成分を強調できる。
【００１８】
また、ユーザが、クイック輪郭強調の設定値を「０」に設定すると、高周波数帯域は「３」、中周波数帯域は「２」、低周波数帯域は「１」に設定される。これにより、画像がどの表示倍率であっても、画像内の被写体の輪郭成分が標準的な画像に補正される。このように、３つの空間周波数帯域の輪郭成分をそれぞれ適切に強調するため、画像内の幅広い空間周波数をもった被写体の輪郭成分を強調できる。
【００１９】
このように、ユーザがクイック輪郭強調の設定値を調整するだけで、高周波数帯域、中周波数帯域および低周波数帯域の設定値が連動して設定される。したがって、画像の表示倍率に依存することなく、ユーザの好みに応じた解像感が得られる画像に補正することができる。
【００２０】
図３は、画像の輪郭強調設定の設定画面例を示す説明図である。図３は、一例として、デジタルカメラなどの撮像装置の背面モニタに表示された設定画面３００を示すが、パーソナルコンピュータやタブレット、スマートフォンのディスプレイに設定画面３００を表示させてもよい。なお、設定画面３００では、操作ボタンやダイヤルなどの操作デバイスでカーソルやスライダが移動してもよく、タッチパネルによりユーザの指で設定画面３００内のボタンが選択されたり、スライダが移動してもよい。
【００２１】
設定画面３００は、選択領域３０１と、調整領域３０２と、を有する。選択領域３０１は、クイック輪郭強調選択ボタン３１０と、第１輪郭強調選択ボタン３１１と、第２輪郭強調選択ボタン３１２と、第３輪郭強調選択ボタン３１３と、を有する。クイック輪郭強調選択ボタン３１０は、クイック輪郭強調を選択するために表示されるボタンである。第１輪郭強調選択ボタン３１１〜第３輪郭強調選択ボタン３１３は、第１輪郭強調〜第３輪郭強調を選択するために表示されるボタンである。これら各選択ボタン３１０〜３１３は、操作デバイス７０８（図７を参照）やユーザの指で選択される。図３では、クイック輪郭強調選択ボタン３１０が選択された状態を示す。
【００２２】
調整領域３０２は、各選択ボタン３１０〜３１３に対応するバー３２０〜３２３と、各バー上を移動して設定値を指定するスライダ３３０〜３３３と、を有する。バー３２０〜３２３の範囲は、対応する選択ボタン３１０〜３１３の各輪郭強調における強調度を指定する指定範囲となる。スライダ３３０〜３３３が示すバー３２０〜３２３の位置は、図１の縦軸１１１に対応しており、設定値が高いほど第１グラフ１０１〜第３グラフ１０３の縦軸１１１の値が高くなり、画像の輪郭成分が強調される。
【００２３】
各スライダをタッチ指定して、左右に動かす操作をすることでそれぞれ移動させることができる。また、各スライダ３３０〜３３３は、対応する選択ボタン３１０〜３１３が押下された場合に、操作デバイス７０８やユーザの指でバー３２０〜３２３に沿って移動可能としてもよい。たとえば、第１輪郭強調選択ボタン３１１が押下された場合、スライダ３３１のみが操作デバイス７０８やユーザの指でバー３２０〜３２３に沿って移動可能であり、他のスライダ３３０，３３２，３３３を移動することはできない。
【００２４】
また、クイック輪郭強調選択ボタン３１０が押下された場合、クイック輪郭強調では、高周波数帯域、中周波数帯域、および低周波数帯域の第１グラフ１０１〜第３グラフ１０３を一括調整可能であるため、図２に示したクイック輪郭強調の設定値に連動して、スライダ３３０〜３３３が移動する。
【００２５】
図３では、スライダ３３０が、操作デバイス７０８やユーザの指による移動で設定値として「１」を指し示す場合、スライダ３３１が「４」、スライダ３３２が「３．５」、スライダ３３３が「２」を指し示すように移動する（図２を参照）。これにより、クイック輪郭強調の設定により、高周波数帯域、中周波数帯域、および低周波数帯域の各輪郭成分の強調度を一括設定することができる。したがって、輪郭強調設定における利便性の向上を図ることができる。
【００２６】
また、クイック輪郭強調選択ボタン３１０とバー３２０との間には、自動設定ボタン３４０が表示される。自動設定ボタン３４０は、クイック輪郭強調選択ボタン３１０が押下された場合に操作デバイス７０８やユーザの指で押下可能である。自動設定ボタン３４０が押下されると、撮像装置は、画像中の輝度、ポートレート（顔検出）、被写体間距離などのシーン認識によって検出される撮影シーンに適合するクイック輪郭強調の設定値を設定し、当該設定値に対応する高周波数帯域、中周波数帯域、および低周波数帯域の各設定値も設定する（図２を参照）。
【００２７】
たとえば、図２に示したように、自動設定ボタン３４０が押下されると、クイック輪郭強調の設定値は、画像がバストアップポートレートである場合は「−１」、画像がスナップ写真である場合は「０」、画像が風景である場合は「＋１」である。このような自動設定は、たとえば、画像の特徴または撮影シーンと、クイック輪郭強調の設定値とを対応付けたテーブル（不図示）を参照することにより実現可能である。また、このようなクイック輪郭強調の設定値は、たとえば、同じ撮影シーンであってもシャッタースピード（露光時間）やレンズのＦ値に応じて変更可能としてもよい。
【００２８】
＜表示倍率ごとの輪郭強調例＞
ここで、画像の表示倍率ごとの輪郭強調例を示す。
【００２９】
図４〜図６は、表示倍率ごとのクイック輪郭強調例１〜３を示す説明図である。図４は、クイック輪郭強調の設定値を「＋２」とした例であり、図５は、クイック輪郭強調の設定値を「０」とした例であり、図６は、クイック輪郭強調の設定値を「−２」とした例である。また、図４〜図６において、（Ａ）は等倍（１００％）の表示倍率、（Ｂ）は５０％の表示倍率、（Ｃ）は２０％の表示倍率である。
【００３０】
このように、クイック輪郭強調の設定値を調整することにより、表示倍率に依存することなく輪郭成分を強調したり、弱めたりすることができ、図４〜図６の各々において、表示倍率が異なっていても、（Ａ）〜（Ｃ）で同じような解像感が得られる。したがって、ユーザは、第１輪郭強調〜第３輪郭強調の設定値を個別に調整する必要がないため、第１輪郭強調〜第３輪郭強調の設定値を試行錯誤することなく、容易に輪郭強調設定をおこなうことができる。
【００３１】
＜撮像装置のハードウェア構成例＞
図７は、撮像装置のハードウェア構成例を示すブロック図である。撮像装置７００は、静止画または動画撮影可能な装置であり、具体的には、たとえば、デジタルカメラ、デジタルビデオカメラ、スマートフォン、タブレット、パーソナルコンピュータ、ゲーム機である。図７では、撮像装置の一例としてデジタルカメラを例に挙げて説明する。
【００３２】
撮像装置７００は、プロセッサ７０１と、記憶デバイス７０２と、駆動部７０３と、光学系７０４と、撮像素子７０５と、ＡＦＥ（Ａｎａｌｏｇ  Ｆｒｏｎｔ  Ｅｎｄ）７０６と、ＬＳＩ（Ｌａｒｇｅ  Ｓｃａｌｅ  Ｉｎｔｅｇｒａｔｉｏｎ）７０７と、操作デバイス７０８と、センサ７０９と、表示デバイス７１０と、通信ＩＦ（Ｉｎｔｅｒｆａｃｅ）７１１と、バス７１２と、を有する。プロセッサ７０１、記憶デバイス７０２、駆動部７０３、ＬＳＩ７０７、操作デバイス７０８、センサ７０９、表示デバイス７１０、および通信ＩＦ７１１は、バス７１２に接続される。
【００３３】
プロセッサ７０１は、撮像装置７００を制御する。記憶デバイス７０２は、プロセッサ７０１の作業エリアとなる。また、記憶デバイス７０２は、各種プログラムやデータを記憶する非一時的なまたは一時的な記録媒体である。記憶デバイス７０２としては、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリがある。記憶デバイス７０２は、撮像装置７００に複数実装されてもよく、そのうちの少なくとも１つは、撮像装置７００に対し着脱自在でもよい。
【００３４】
駆動部７０３は、光学系７０４を駆動制御する。駆動部７０３は、駆動回路７０３ａと駆動源７０３ｂとを有する。駆動回路７０３ａは、プロセッサ７０１からの指示により駆動源７０３ｂを制御する。駆動源７０３ｂは、たとえば、モータであり、駆動回路７０３ａの制御により、光学系７０４内のズーミングレンズ７４１ｂおよびフォーカシングレンズ７４１ｃを光軸方向に移動させたり、絞り７４２を開閉制御する。
【００３５】
光学系７０４は、光軸方向に配列された複数のレンズ（レンズ７４１ａ、ズーミングレンズ７４１ｂ、およびフォーカシングレンズ７４１ｃ）と、絞り７４２と、を含む。光学系７０４は、被写体光を集光し、撮像素子７０５に出射する。
【００３６】
撮像素子７０５は、光学系７０４からの被写体光を受光して電気信号に変換する。撮像素子７０５は、たとえば、ＸＹアドレス方式の固体撮像素子（たとえば、ＣＭＯＳ（Ｃｏｍｐｌｅｍｅｎｔａｒｙ  Ｍｅｔａｌ‐Ｏｘｉｄｅ  Ｓｅｍｉｃｏｎｄｕｃｔｏｒ））であってもよく、順次走査方式の固体撮像素子（たとえば、ＣＣＤ（Ｃｈａｒｇｅ  Ｃｏｕｐｌｅｄ  Ｄｅｖｉｃｅ））であってもよい。
【００３７】
撮像素子７０５の受光面には、複数の受光素子（画素）がマトリクス状に配列されている。そして、撮像素子７０５の画素には、それぞれが異なる色成分の光を透過させる複数種類のカラーフィルタが所定の色配列（たとえば、ベイヤ配列）に従って配置される。そのため、撮像素子７０５の各画素は、カラーフィルタでの色分解によって各色成分に対応するアナログの電気信号を出力する。
【００３８】
ＡＦＥ７０６は、撮像素子７０５からのアナログの電気信号に対して信号処理を施すアナログフロントエンド回路である。ＡＦＥ７０６は、電気信号のゲイン調整、アナログ信号処理（相関二重サンプリング、黒レベル補正など）、Ａ／Ｄ変換処理、デジタル信号処理（欠陥画素補正など）を順次実行してＲＡＷ画像データを生成し、ＬＳＩに出力する。上述した駆動部７０３、光学系７０４、撮像素子７０５、およびＡＦＥ７０６は、撮像部７２０を構成する。
【００３９】
ＬＳＩ７０７は、ＡＦＥ７０６からのＲＡＷ画像データについて、色補間、ホワイトバランス調整、輪郭強調、ガンマ補正、階調変換などの画像処理や符号化処理、復号処理、圧縮伸張処理など、特定の処理を実行する集積回路である。ＬＳＩ７０７は、具体的には、たとえば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）などのＰＬＤ（Ｐｒｏｇｒａｍｍａｂｌｅ  Ｌｏｇｉｃ  Ｄｅｖｉｃｅ）によって実現してもよい。
【００４０】
操作デバイス７０８は、コマンドやデータを入力する。操作デバイス７０８としては、たとえば、レリーズボタンを含む各種ボタン、スイッチ、ダイヤル、タッチパネルがある。センサは、情報を検出するデバイスであり、たとえば、ＡＦ（Ａｕｔｏｍａｔｉｃ  Ｆｏｃｕｓ）センサ、ＡＥ（Ａｕｔｏｍａｔｉｃ  Ｅｘｐｏｓｕｒｅ）センサ、ジャイロセンサ、加速度センサ、温度センサなどがある。表示デバイス７１０は、画像データや設定画面３００を表示する。表示デバイス７１０には、撮像装置７００の背面にある背面モニタと、電子ビューファインダと、がある。通信ＩＦ７１１は、ネットワークと接続し、データを送受信する。
【００４１】
＜撮像装置の機能的構成例＞
図８は、実施例１にかかる撮像装置７００の機能的構成例を示すブロック図である。撮像装置７００は、撮像部７２０と、画像処理装置８００と、により構成される。画像処理装置８００は、記憶部８０１と、取得部８０２と、生成部８０３と、設定部８０４と、補正部８０５と、表示部８０６と、を有する。
【００４２】
取得部８０２、生成部８０３、設定部８０４、および補正部８０５は、具体的には、たとえば、図７に示した記憶デバイス７０２に記憶されたプログラムをプロセッサに実行させることにより、またはＬＳＩ７０７により実現される。記憶部８０１は、図７に示した記憶デバイス７０２により実現される。表示部８０６は、図７に示した表示デバイス７１０およびＬＳＩ７０７により実現される。
【００４３】
取得部８０２は、撮像部７２０または生成部８０３からの画像データを取得して、記憶部８０１に格納する。撮像部７２０から取得される画像データは、たとえば、ＲＡＷ画像データである。生成部８０３から取得される画像データは、たとえば、ＬＳＩ７０７によって色補間、ホワイトバランス調整、輪郭強調、ガンマ補正、階調変換などのように画像処理された画像データでもよく、また、たとえば、ＪＰＥＧ形式に圧縮された画像データでもよい。また、画像データは、静止画または動画撮影により生成された画像データでもよい。また、画像データは、撮像部７２０から連続的に（逐次）出力されたデータに基づいて生成された表示用の画像、いわゆるスルー画像用のデータとして得られた画像データでもよい。
【００４４】
生成部８０３は、取得部８０２によって撮像部７２０から取得されたＲＡＷ画像データについて、色補間、ホワイトバランス調整、輪郭強調、ガンマ補正、階調変換などのような画像処理を実行し画像データを生成する。また、ＲＡＷ画像データまたは画像処理された画像データについて、ＪＰＥＧ形式に圧縮して画像データを生成する。生成部８０３は、生成した画像データを取得部８０２に返す。
【００４５】
設定部８０４は、第１空間周波数帯域の輪郭成分、第２空間周波数帯域の輪郭成分、および第３空間周波数帯域の輪郭成分の各々についての各補正情報を独立に設定可能にする。ここで、第１空間周波数帯域は、たとえば、上述した高周波数帯域である。第２空間周波数帯域は、第１空間周波数帯域内の第１空間周波数よりも低い第２空間周波数を含む空間周波数帯域である。
【００４６】
具体的には、たとえば、第２空間周波数帯域は、高周波数帯域内の第１空間周波数よりも低い第２空間周波数を含む中周波数帯域である。第３空間周波数帯域は、第２空間周波数よりも低い第３空間周波数を含む空間周波数帯域である。具体的には、たとえば、第３空間周波数帯域は、第２空間周波数よりも低い第３空間周波数を含む低周波数帯域である。
【００４７】
補正情報とは、第１空間周波数帯域の輪郭成分、第２空間周波数帯域の輪郭成分、および第３空間周波数帯域の輪郭成分の各々の補正に必要な情報である。具体的には、たとえば、補正情報は、図１に示した高周波数帯域、中周波数帯域および低周波数帯域の輪郭成分に対する強調度（縦軸１１１の値）であり、より具体的には、当該強調度に対応する第１輪郭強調、第２輪郭強調、および第３輪郭強調の設定値である。
【００４８】
設定部８０４は、たとえば、図３で説明した操作により、第１輪郭強調、第２輪郭強調、および第３輪郭強調の設定値を独立して、すなわち、個別に設定可能である。また、設定部８０４は、クイック輪郭強調の選択により、クイック輪郭強調のスライダでバーの設定値を指し示すことにより、第１輪郭強調、第２輪郭強調、および第３輪郭強調の設定値を一括設定することもできる。これにより、ユーザの利便性の向上を図ることができる。
【００４９】
補正部８０５は、設定部８０４によって設定された各補正情報に基づいて、画像データを補正する。具体的には、たとえば、補正部８０５は、設定部８０４によって設定された第１輪郭強調、第２輪郭強調、および第３輪郭強調の設定値により、輪郭強調処理を実行する。
【００５０】
なお、クイック輪郭強調、第１輪郭強調、第２輪郭強調、および第３輪郭強調の設定値は、画像データごとに保持してもよい。たとえば、ある画像データについて各スライダ３３０〜３３３がそれぞれ、「１」、「４」、「３．５」、「２」を指し示した場合に、他の画像データや他の処理に切り替えた場合、設定部８０４は、当該ある画像データに関連付けて、当該設定値「１」、「４」、「３．５」、「２」を保持しておく。そして、再度、この画像データが呼び出された場合、設定部８０４は、保持した設定値「１」、「４」、「３．５」、「２」を読み出して設定してもよい。これにより、前回の設定値を再現することができ、利便性の向上を図ることができる。
【００５１】
また、補正部８０５は、第１輪郭強調では、たとえば、第１輪郭強調の設定値で先鋭化フィルタ内の値を調整し、調整した先鋭化フィルタを用いて画像データを補正する。また、補正部８０５は、第２輪郭強調では、たとえば、第２輪郭強調の設定値で中周波数帯域の範囲を調整し、調整した中周波数帯域を通過させるバンドパスフィルタを用いて画像データを補正する。
【００５２】
また、補正部８０５は、第３輪郭強調では、たとえば、第３輪郭強調の設定値で低周波数帯域の範囲を調整し、調整した低周波数帯域を通過させるローパスフィルタを用いて画像データを補正する。ここでは、先鋭化フィルタやバンドパスフィルタ、ローパスフィルタを用いて説明したが、各空間周波数帯域に適用可能なフィルタであれば、他のフィルタでもよい。
【００５３】
なお、補正部８０５は、設定部８０４によって設定された設定値を、撮影後の画像データに対して適用してもよく、また、撮影前の画像データ、すなわち、スルー画像用のデータに対しても適用してもよい。この場合、クイック輪郭強調によって設定された第１輪郭強調〜第３輪郭強調の設定値の組み合わせについては、ズームインやズームアウトによって変化する表示倍率に依存しないため、ユーザは、ズーム操作ごとに第１輪郭強調〜第３輪郭強調の各設定値を変える必要はない。
【００５４】
表示部８０６は、設定部８０４によって設定可能な設定画面３００（図２）を表示デバイス７１０に表示する。また、表示部８０６は、補正部８０５による補正後の画像データに基づいて、表示デバイス７１０に当該画像データの画像を表示する。これにより、図４〜図６に示した画像が表示される。
【００５５】
＜輪郭強調処理手順例＞
図９は、実施例１にかかる輪郭強調処理手順例を示すフローチャートである。撮像装置７００は、取得部８０２により、撮像部７２０または生成部８０３から画像データを取得すると（ステップＳ９０１）、記憶部８０１に格納する（ステップＳ９０２）。画像処理装置８００は、図３の設定画面３００からクイック輪郭強調選択ボタン３１０が選択され、スライダ３３０の位置でクイック輪郭強調の設定値を設定すると（ステップＳ９１１）、設定部８０４により、クイック輪郭強調の設定値に対応する第１輪郭強調〜第３輪郭強調の設定値の組み合わせを特定する（ステップＳ９１２）。
【００５６】
そして、画像処理装置８００は、記憶部８０１から画像データを読み出して、補正部８０５により、画像データに対しクイック輪郭強調に基づく補正を実行する（ステップＳ９１３）。このあと、画像処理装置８００は、表示部８０６により、補正後の画像データの画像を表示デバイス７１０に表示する（ステップＳ９１４）。これにより、一連の輪郭強調処理が終了する。
【００５７】
このように、実施例１によれば、高周波数帯域と低周波数帯域との間の中周波数帯域についての第２輪郭強調を、高周波数帯域に対応する第１輪郭強調および低周波数帯域に対応する第３輪郭強調とは独立して設定することができる。クイック輪郭強調によって設定されたそれぞれの３つの値は、画像のどの表示倍率でも解像感が変わらないような設定値が決められている。そのため、どの表示倍率でも好適な解像感が得られる。したがって、３つの空間周波数帯域の輪郭成分をそれぞれ適切に強調するため、画像内の幅広い空間周波数をもった被写体の輪郭成分を強調できる。画像がどの表示倍率であっても、画像内の被写体の輪郭成分が強調された、換言すれば、輪郭成分が際立って明瞭に見える画像（いわゆる、くっきりとした画像）に補正することができる。
【００５８】
また、クイック輪郭強調の設定により、第１輪郭強調〜第３輪郭強調を一括して設定することができるため、撮影についての知識が少ないユーザでも、画像の解像感を変更する補正を素早くおこなうことができ、利便性の向上を図ることができる。
【実施例２】
【００５９】
実施例２について説明する。実施例１では、第１輪郭強調〜第３輪郭強調の各設定値を設定する例について説明したが、実施例２では、表示倍率に依存して輪郭強調の設定値を設定可能にする例について説明する。
【００６０】
第１輪郭強調〜第３輪郭強調はそれぞれ、好適な解像感が得られやすい表示倍率を有するため、実施例２では、撮像装置７００は、画像の表示倍率が検出された時点で、当該検出された表示倍率に最適な輪郭強調を選択して、当該選択された輪郭強調の設定値を設定可能にする。これにより、ユーザは、どの輪郭強調を適用するかという試行錯誤をすることなく、選択された輪郭強調についてスライダを移動させることで、好適な解像感を得ることが可能となる。
【００６１】
なお、実施例２では、実施例１との相違点を中心に説明し、実施例１との共通点については同一符号を用い、その説明を省略する。
【００６２】
＜輪郭強調処理手順例＞
図１０は、実施例２にかかる輪郭強調処理手順例を示すフローチャートである。画像処理装置８００は、表示部８０６により、記憶部８０１から画像データを読み出して画像を表示する（ステップＳ１０１１）。画像処理装置８００は、表示部８０６により、表示中の画像の表示倍率を検出する（ステップＳ１０１２）。画像処理装置８００は、設定部８０４により、検出された表示倍率に基づいて輪郭強調を選択する（ステップＳ１０１３）。たとえば、画像処理装置８００は、表示倍率が５０％以上であれば第１輪郭強調、表示倍率が２５％以上５０％未満であれば第２輪郭強調、表示倍率が２５％未満であれば第３輪郭強調を選択する。
【００６３】
つぎに、画像処理装置８００は、ステップＳ１０１３の選択輪郭強調のスライダの位置で、選択輪郭強調の設定値を設定すると（ステップＳ１０１４）、補正部８０５により、画像データに対し選択輪郭強調に基づく補正を実行する（ステップＳ１０１５）。このあと、画像処理装置８００は、表示部８０６により、補正後の画像データの画像を表示デバイス７１０に表示する（ステップＳ１０１６）。これにより、一連の輪郭強調処理が終了する。
【００６４】
このように、実施例２によれば、ユーザは、どの輪郭強調を適用するかという試行錯誤をすることなく、選択された輪郭強調についてスライダ３３１〜３３３を移動させることで、好適な解像感を得ることができる。
【００６５】
なお、実施例２では、表示倍率に基づいて、第１輪郭強調〜第３輪郭強調のうちいずれか１つの設定値を設定可能とする例について説明したが、表示倍率が２つの輪郭強調のいずれにおいても好適な解像感が得られる表示倍率である場合には、当該２つの輪郭強調の設定値を設定可能としてもよい。たとえば、表示倍率が５０％である場合には、撮像装置７００は、第１輪郭強調および第２輪郭強調の設定値を設定可能とし、表示倍率が２５％である場合には、撮像装置７００は、第２輪郭強調および第３輪郭強調の設定値を設定可能としてもよい。
【００６６】
これにより、ユーザは、どの輪郭強調を適用するかという試行錯誤をすることなく輪郭強調の設定自由度を高くすることにより、選択された輪郭強調についてスライダ３３１〜３３３を移動させることで、好適な解像感を得ることができる。
【実施例３】
【００６７】
実施例３について説明する。実施例１，２では、補正部８０５によって補正された画像データの画像を表示部８０６に表示する例について説明した。実施例３では、撮像装置７００は、送信先に応じて輪郭強調の設定値を変えて画像データを補正する。撮像装置７００は、補正された画像データを送信先に送信し、送信先が、画像データを出力する。これにより、送信先に適した画像を出力することができる。また、実施例３においても、画像の表示倍率に依存することなく、クイック輪郭強調の設定値を設定することができる。
【００６８】
なお、実施例３では、実施例１との相違点を中心に説明し、実施例１との共通点については同一符号を用い、その説明を省略する。
【００６９】
＜通信システム＞
図１１は、撮像装置７００と送信先とが通信可能に接続された通信システムの一例を示す説明図である。送信先としては、たとえば、パーソナルコンピュータ１１０１、スマートフォン１１０２（タブレットでもよい）、プリンタ１１０３、大型プリンタ１１０４（たとえば、業務用プリンタ）などの出力機器がある。なお、送信先への送信は、有線接続による送信でもよく、無線送信でもよい。
【００７０】
＜設定情報＞
図１２は、設定情報を示す説明図である。設定情報２００、１２０１〜１２０３は、記憶部８０１に記憶される。設定情報２００、１２０１〜１２０３はそれぞれ、クイック輪郭強調、第１輪郭強調〜第３輪郭強調ごとの設定値を有する。設定情報２００は、たとえば、送信先としてパーソナルコンピュータが選択された場合に適用される。設定情報１２０１は、たとえば、送信先としてスマートフォン（タブレットでもよい）が選択された場合に適用される。
【００７１】
設定情報１２０２は、たとえば、送信先としてプリンタが選択された場合に適用される。設定情報１２０３は、たとえば、送信先として大型プリンタが選択された場合に適用される。これにより、送信先に適した設定値で画像データを補正することができ、送信先に適した解像感で画像を出力することができる。なお、画面サイズが異なるパーソナルコンピュータを想定する場合は、設定情報２００を画面サイズに応じて複数種類用意してもよい。
【００７２】
＜撮像装置７００の機能的構成例＞
図１３は、実施例３にかかる撮像装置７００の機能的構成例を示すブロック図である。撮像装置７００は、撮像部７２０と、画像処理装置８００と、により構成される。画像処理装置８００は、記憶部８０１と、取得部８０２と、生成部８０３と、設定部８０４と、補正部８０５と、表示部８０６と、選択部１３０２と、送信部１３０３と、を有する。
【００７３】
選択部１３０２は、具体的には、たとえば、図７に示した記憶デバイス７０２に記憶されたプログラムをプロセッサ７０１に実行させることにより、またはＬＳＩ７０７により実現される。送信部１３０３は、具体的には、たとえば、図７に示した通信ＩＦ７１１により実現される。
【００７４】
選択部１３０２は、送信先を選択する。具体的には、たとえば、撮像装置７００は、表示デバイス７１０に送信先選択画面１４００を表示させ、撮像装置７００は、ユーザによる操作デバイス７０８の操作により送信先の選択を受け付ける。
【００７５】
図１４は、送信先選択画面１４００の一例を示す説明図である。送信先選択画面１４００には、パーソナルコンピュータ１１０１、スマートフォン１１０２、プリンタ１１０３、および大型プリンタ１１０４を選択可能なボタン１４０１〜１４０４が表示される。選択部１３０２は、ボタン１４０１〜１４０４のうちいずれか１つのボタンの選択を受け付けると、選択部１３０２は、ＯＫボタン１４０５の押下により、当該選択されたボタンに対応する設定情報を記憶デバイス７０２から読み出す。図１４では、プリンタ１１０３を選択するボタン１４０３が押下されたことで、設定部８０４は、プリンタ１１０３用の設定情報１２０２が記憶デバイス７０２から読み出されたことを示す。
【００７６】
設定部８０４は、ユーザ操作により、読み出された設定情報におけるクイック輪郭強調の設定値（−２〜＋２）の入力を受け付ける。これにより、補正部８０５は、読み出された設定情報で入力されたクイック輪郭強調の設定値における第１輪郭強調〜第３輪郭強調の値を用いて画像データを補正することができる。なお、クイック輪郭強調の設定値（−２〜＋２）の入力がない場合は、補正部８０５は、クイック輪郭強調のデフォルトの設定値である「０」における第１輪郭強調〜第３輪郭強調の値を用いて画像データを補正することになる。なお、読み出された設定情報に対しユーザが補正前に設定値を変更してもよい。
【００７７】
図１３に戻り、送信部１３０３は、補正部８０５によって補正された画像データを、選択部１３０２によって選択された送信先に送信する。図１４の例では、設定情報１２０２が読み出されて画像データが補正されるため、送信部１３０３は、送信先として選択されたプリンタ１１０３に対し、設定情報１２０２を用いて補正された画像データを送信する。これにより、送信先に適した補正後の画像データを、送信先において出力することができる。
【００７８】
＜輪郭強調処理手順例＞
図１５は、実施例３にかかる輪郭強調処理手順例１を示すフローチャートである。輪郭強調処理手順例１では、画像データの補正前に送信先を選択する場合の輪郭強調処理手順例である。画像処理装置８００は、選択部１３０２により送信先の選択を受け付け（ステップＳ１５１１）、選択された送信先に対応した設定情報を記憶部８０１から読み出す（ステップＳ１５１２）。
【００７９】
このあと、画像処理装置８００は、読み出した設定情報を用いて、ステップＳ９１１〜Ｓ９１３を実行する。そして、画像処理装置８００は、ステップＳ９１３で補正した画像データ（補正後画像データ）を、ステップＳ１５１１で選択された送信先に送信する（ステップＳ１５１３）。
【００８０】
送信先は、補正された画像データを受信し（ステップＳ１５２１）、補正された画像データに基づく出力処理を実行する（ステップＳ１５２２）。これにより、一連の輪郭強調処理が終了する。補正された画像データに基づく出力処理とは、たとえば、送信先がパーソナルコンピュータ１１０１やスマートフォン１１０２の場合は、補正された画像データの画像表示であり、送信先がプリンタ１１０３や大型プリンタ１１０４の場合は、補正後画像データの印刷出力である。これにより、送信先に適した解像感の画像を送信先で出力することができる。
【００８１】
図１６は、実施例３にかかる輪郭強調処理手順例２を示すフローチャートである。輪郭強調処理手順例２では、画像データの補正後に送信先を選択する場合の輪郭強調処理手順例である。撮像装置７００は、生成部８０３によりＲＡＷ画像データから送信先分の複数のＪＰＥＧ画像データを生成し、取得部８０２により、生成した複数のＪＰＥＧ画像データを取得して（ステップＳ１６０１）、記憶デバイス７０２に格納する（ステップＳ１６０２）。
【００８２】
画像処理装置８００は、送信先選択（ステップＳ１５１１）に先立って、各送信先に対応する設定情報ごとに、ステップＳ９１１〜Ｓ９１３を実行する。具体的には、たとえば、ユーザは、クイック輪郭強調のバー３２０においてスライダ３３０を移動させることにより（ステップＳ９１１）、設定部８０４は、送信先に対応する設定情報１２０１〜１２０３ごとに、第１輪郭強調〜第３輪郭強調の設定値の組み合わせを特定する（ステップＳ９１２）。
【００８３】
そして、補正部８０５は、送信先に対応する設定情報１２０１〜１２０３ごとに、生成した複数のＪＰＥＧ画像データの各々について、クイック輪郭強調に基づく補正を実行する（ステップＳ９１３）。これにより、画像処理装置８００は、送信先ごとの補正後画像データを得る。
【００８４】
このあとで、画像処理装置８００は、ユーザからの送信先の選択を受け付けることにより（ステップＳ１５１１）、複数の補正後の画像データから選択された送信先の補正後の画像データを、選択された送信先に送信する（ステップＳ１５１３）。
【００８５】
このように、輪郭強調処理手順例２では、まだ送信先を選択していない状況で被写体を撮像した場合に、あらかじめ送信先ごとに当該送信先に適合する輪郭強調処理を実行しておくことで、その後選択したいずれの送信先に対しても、即座に補正された画像データを送信することができる。したがって、ユーザにとっては、送信先選択をし忘れたことが撮影後に判明した場合であっても、適切に補正された画像データを送信先に送信することができる。したがって、撮影前の送信先選択や撮影し直しといった煩わしさがなくなり、利便性の向上を図ることができる。
【実施例４】
【００８６】
実施例４について説明する。実施例３では、撮像装置７００内部の補正部８０５により補正された画像データを送信先に送信する例について説明した。実施例４は、補正部８０５が存在しない撮像装置７００が、送信先に応じて設定された第１輪郭強調〜第３輪郭強調の設定値の組み合わせと、画像データとを、補正部８０５を有する送信先に送信する例である。また、実施例４においても、画像の表示倍率に依存することなく、クイック輪郭強調の設定値を設定することができる。
【００８７】
なお、実施例４では、実施例３との相違点を中心に説明し、実施例３との共通点については同一符号を用い、その説明を省略する。
【００８８】
＜機能的構成例＞
図１７は、実施例４にかかる撮像装置７００の機能的構成例を示すブロック図である。撮像装置７００は、補正部８０５を有しない。また、補正部８０５がないため、記憶部８０１、取得部８０２、生成部８０３、設定部８０４、表示部８０６、選択部１３０２、および送信部１３０３を含む装置を情報処理装置１７００とする。
【００８９】
＜情報処理手順例＞
図１８は、実施例４にかかる情報処理手順例１を示すフローチャートである。情報処理手順例１では、クイック輪郭強調の設定前に送信先を選択する場合の情報処理手順例である。情報処理装置１７００は、クイック輪郭強調に基づく補正（ステップＳ９１３）を除いて、図１５の画像処理装置８００と同様、ステップＳ１５１１，Ｓ１５１２、Ｓ９１１、Ｓ９１２を実行する。情報処理装置１７００は、ステップＳ９１２の実行のあと、ステップＳ９１２で特定された第１輪郭強調〜第３輪郭強調の設定値の組み合わせと、補正対象の画像データとを、ステップＳ１５１１で選択された送信先に送信する（ステップＳ１８１３）。
【００９０】
送信先は、情報処理装置１７００から、設定値の組み合わせおよび画像データを受信すると（ステップＳ１８２１）、補正部８０５により、画像データに対し、設定値の組み合わせを用いてクイック輪郭強調に基づく補正を実行する（ステップＳ１８２２）。そして、送信先は、補正された画像データに基づく出力処理を実行し（ステップＳ１５２２）、一連の情報処理が終了する。これにより、送信先に適した解像感の画像を送信先で出力することができる。
【００９１】
図１９は、実施例４にかかる情報処理手順例２を示すフローチャートである。情報処理手順例２では、クイック輪郭強調の設定後に送信先を選択する場合の情報処理手順例である。図１９では、情報処理装置１７００は、送信先選択（ステップＳ１５１１）に先立って、送信先に対応したクイック輪郭強調選択および設定（ステップＳ９１１）と、第１輪郭強調〜第３輪郭強調の設定値の組み合わせ特定（ステップＳ９１２）と、を実行する。
【００９２】
その後、送信先選択（ステップＳ１５１１）が実行された場合、ステップＳ１８１３では、情報処理装置１７００は、画像データとともに、選択された送信先に応じて設定された第１輪郭強調〜第３輪郭強調の設定値の組み合わせを、選択された送信先に送信することになる（ステップＳ１８１３）。
【００９３】
これにより、まだ送信先を選択していない状況で被写体を撮像した場合に、あらかじめ送信先ごとに当該送信先に適合する輪郭強調設定を実行しておくことで、その後選択したいずれの送信先に対しても、即座に設定値の組み合わせおよび画像データを送信することができる。
【００９４】
したがって、ユーザにとっては、送信先選択をし忘れたことが撮影後に判明した場合であっても、適切に設定された設定値の組み合わせおよび画像データを送信先に送信することができる。したがって、撮像前の送信先選択や撮影し直しといった煩わしさがなくなり、利便性の向上を図ることができる。
【００９５】
上述の実施例４では、補正部８０５を有しない場合を説明したが、撮像装置７００が補正部８０５を有していても、送信先で補正をした方が処理が速い場合や撮像装置７００の電池残量が所定量以下となった場合などに実施例４の処理を実行してもよい。
【実施例５】
【００９６】
実施例５について説明する。実施例５では、画像データ内の被写体領域を認識し、画像データを領域分割する。そして、撮像装置７００は、分割領域ごとに輪郭強調する空間周波数帯域を決定する。たとえば、顔の画像データには、眼やまつ毛のような高周波数成分の画像データや頬などの低周波数成分の画像データが含まれている。
【００９７】
画像に対して高周波数成分の輪郭強調をおこなうと、眼やまつ毛の輪郭成分が強調されて好適な解像感が得られる一方、頬についても高周波数成分の輪郭強調をおこなうと、頬における肌のしわや荒れが目立ってしまう。また、画像に対して低周波数成分の輪郭強調をおこなうと、頬における肌の立体感が好適に近づく一方、眼やまつ毛についても低周波数成分の輪郭強調をおこなうと、眼やまつ毛の輪郭成分がぼやけてしまい、好適な解像感が得られにくい。
【００９８】
このため、分割領域内の画像データの特徴を参照して、領域ごとに適切な空間周波数帯域で輪郭強調を実行することで、画像データ全体として好適な解像感が得られる輪郭強調を実現する。また、実施例５においても、画像の表示倍率に依存することなく、クイック輪郭強調の設定値を設定することができる。
【００９９】
なお、実施例５では、実施例１をベースにして、実施例１との相違点を中心に説明し、実施例１との共通点については同一符号を用い、その説明を省略する。また、実施例３、４についても処理内容に矛盾が生じない限り実施例５が適用可能である。特に、実施例４は、送信先が補正をおこなうため、補正前の設定については、情報処理装置１７００に対し実施例５が適用可能であり、補正については、送信先に対し実施例５が適用可能である。
【０１００】
＜分割領域の輪郭強調例＞
図２０は、分割領域の輪郭強調例を示す説明図である。図２０では、画像データの一例としてポートレート写真の画像データ２０００を例に挙げて説明する。画像データ２０００は、被写体の画像データ２００１と背景の画像データ２００２とを含む。被写体は、ここでは、女性のバストアップポートレートとし、背景は、ほぼ単一色とする。
【０１０１】
分割領域２０１１Ａは、まつ毛を含む高周波数成分の画像領域であるため、画像処理装置８００は、分割領域２０１１Ａについて第１輪郭強調を適用する。第１輪郭強調の設定値については、ユーザがスライダを操作してプラス設定してもよく、あらかじめプラス設定された設定値（たとえば、＋４）にしてもよい。分割領域２０１１Ａについて第１輪郭強調が適用されると、補正後の分割領域２０１１Ｂが得られる。分割領域２０１１Ｂのまつ毛は、分割領域２０１１Ａに比べて輪郭成分が強調された解像感の高い画像となる。
【０１０２】
また、分割領域２０１２Ａは、頬を含む低周波数成分の画像領域であるため、画像処理装置８００は、分割領域２０１２Ａについて第３輪郭強調を適用する。第３輪郭強調の設定値については、ユーザがスライダを操作してマイナス設定してもよく、あらかじめマイナス設定された設定値（たとえば、−１）にしてもよい。分割領域２０１２Ａについて第３輪郭強調が適用されると、補正後の分割領域２０１２Ｂが得られる。分割領域２０１２Ｂの頬は、分割領域２０１２Ａに比べて輪郭成分が弱まり、好適な肌の立体感が得られる。
【０１０３】
＜撮像装置７００の機能的構成例＞
図２１は、実施例５にかかる撮像装置７００の機能的構成例を示すブロック図である。図２１では、図８の構成において、画像処理装置８００は分割部２１００を有する。分割部２１００は、具体的には、たとえば、図７に示した記憶デバイス７０２に記憶されたプログラムをプロセッサ７０１に実行させることにより、またはＬＳＩ７０７により実現される。
【０１０４】
分割部２１００は、画像データを複数の画像領域に分割する。具体的には、たとえば、分割部２１００は、顔検出機能を有し、顔検出された画像領域については、さらに当該顔の画像領域をその特徴、すなわち、眼、まつ毛、耳、鼻、口、頬などの顔のパーツごとに細分化することにより、分割領域を生成する。これにより、設定部８０４は、各分割領域内の画像データの特徴に応じて、表示倍率にかかわらず、第１輪郭強調〜第３輪郭強調のいずれかの設定値を設定する。
【０１０５】
また、分割部２１００は、被写体検出機能を有し、たとえば、逐次記録されるスルー画像用データや動画のフレームについて、先行するフレームとの差分から動きベクトルを検出し、被写体の画像データを特定する。そして、分割部２１００は、被写体と背景との境界を含む画像領域と、境界を含まない画像領域とに分割する。これにより、設定部８０４は、各分割領域内の画像データの特徴に応じて、表示倍率にかかわらず、第１輪郭強調〜第３輪郭強調のいずれかの設定値を設定する。
【０１０６】
＜輪郭強調処理手順例＞
図２２は、実施例５にかかる輪郭強調処理手順例を示すフローチャートである。画像処理装置８００は、分割部２１００により、画像データに対し顔検出や被写体検出をおこなうことで、画像データを領域分割する（ステップＳ２２１１）。つぎに、画像処理装置８００は、設定部８０４により、分割領域の各々について、分割領域内の画像データの特徴に基づいて、輪郭強調設定をおこなう（ステップＳ２２１２）。
【０１０７】
具体的には、たとえば、上述したように、分割領域内の画像データが眼やまつ毛の画像データであれば、第１輪郭強調の設定値に設定し、頬の画像データであれば、第３輪郭強調の設定値に設定する。そして、画像処理装置８００は、補正部８０５により、分割領域の各々について、ステップＳ２２１２で設定した設定値により輪郭強調に基づく補正をおこなう（ステップＳ２２１３）。そして、画像処理装置８００は、表示部８０６により、ステップＳ２２１３の補正後の画像データの画像を表示デバイス７１０に表示する（ステップＳ２２１３）。これにより、一連の輪郭強調処理が終了する。
【０１０８】
このように、分割領域内の画像データの特徴に応じて、分割領域ごとに独立して輪郭強調を設定することができ、好適な解像感の画像を出力することができる。なお、実施例５を実施例３、４に適用する場合は、送信先に対応する設定情報内の第１輪郭強調〜第３輪郭強調の設定値を用いて、分割領域ごとに輪郭強調の設定値を設定することになる。
【０１０９】
［その他の例］
なお、上述した実施例１〜実施例５では、補正の一例として、画像の輪郭成分を強調したり、弱めたりする輪郭強調処理について説明したが、高周波数帯域、中周波数帯域、および低周波数帯域ごとの画像のノイズ低減処理についても適用してもよい。この場合、設定値が大きくなるにしたがってノイズが低減される。なお、ノイズ低減処理は、実施例１〜実施例５の輪郭強調処理に置き換えてもよく、輪郭強調処理と併用してもよい。
【０１１０】
（１）以上説明したように、本実施例によれば、画像処理装置８００では、３以上の空間周波数帯域ごとに輪郭強調処理やノイズ低減処理に関する補正情報の各々を独立して設定可能にする設定部８０４を有する。これにより、ユーザが、画像の輪郭成分やノイズを適切に調整することができる。換言すれば、画像内の幅広い空間周波数をもった被写体の輪郭成分を強調したり、ノイズを低減したりすることができる。このように、３つの空間周波数帯域をそれぞれ適切に強調するため、画像がどの表示倍率であっても、画像内の被写体の輪郭成分が強調された、換言すれば、輪郭が際立って明瞭に見える画像（いわゆる、くっきりとした画像）に補正される。また、ノイズ低減により、画像がどの表示倍率であっても、画像内の被写体のノイズが低減された画像に補正される。このように、３つの空間周波数帯域の輪郭成分をそれぞれ適切に調整するため、画像内の幅広い空間周波数をもった被写体の輪郭成分の強弱を調整できる。
【０１１１】
一般的な輪郭強調処理やノイズ低減処理では、画像に与える処理は変わらないが、表示倍率が変わると人間が受ける印象が変わってしまう。たとえば、輪郭強調処理の場合、高周波数成分を調整する輪郭強調処理では、高倍率表示では好適な解像感が得られやすい。一方、低倍率表示では、高周波数成分を調整する輪郭強調処理よりも、低周波数成分を調整する輪郭強調処理の方が好適な解像感が得られやすい。このため、第２周波数帯域の補正情報を独立して設定可能とすることにより、調整の自由度が増加する。
【０１１２】
（２）また、上記（１）の画像処理装置８００において、設定部８０４は、表示する画像の表示倍率に基づいて、各補正情報を設定してもよい。これにより、画像の表示倍率に適した補正をおこなうことができる。
【０１１３】
（３）また、上記（２）の画像処理装置８００において、設定部８０４は、第１空間周波数帯域、第２空間周波数帯域、および第３空間周波数帯域のうち、表示倍率に基づく特定の空間周波数帯域について各補正情報を設定してもよい。これにより、表示倍率に適した空間周波数帯域を選択することができる。
【０１１４】
（４）また、上記（１）の画像処理装置８００において、設定部８０４は、被写体の撮影シーンに基づいて、各補正情報を設定してもよい。これにより、撮影シーンに適した空間周波数帯域の調整をおこなうことができる。
【０１１５】
（５）また、上記（１）の画像処理装置８００において、設定部８０４は、被写体の認識結果に基づいて、各補正情報を設定してもよい。これにより、被写体に適した空間周波数帯域の調整をおこなうことができる。
【０１１６】
（６）また、上記（５）の画像処理装置８００は、認識結果に基づいて、前記被写体の画像を複数の領域に分割する分割部２１００を有し、設定部８０４は、分割部２１００によって分割された領域ごとに、各補正情報を設定してもよい。これにより、領域ごとに、領域内の画像に適した空間周波数帯域の調整をおこなうことができる。
【０１１７】
（７）また、上記（１）の画像処理装置８００において、補正情報は、画像データの輪郭成分を調整する情報（たとえば、輪郭強調の設定値）を含み、補正部８０５は、各補正情報に基づいて、画像データについて輪郭強調処理を実行してもよい。これにより、３以上の空間周波数帯域の輪郭成分の補正情報の各々を独立して設定可能にすることができる。
【０１１８】
（８）また、上記（７）の画像処理装置８００において、輪郭強調処理は、輪郭成分を弱める処理を含んでもよい。これにより、輪郭成分を強調する処理から弱める処理まで幅広く調整することができる。
【０１１９】
（９）また、上記（１）の画像処理装置８００において、補正情報は、画像データのノイズ低減処理を調整する情報（たとえば、ノイズ低減の設定値）を含み、補正部８０５は、各補正情報に基づいて、画像データについてノイズ低減処理を実行してもよい。これにより、３以上の空間周波数帯域のノイズ低減に関する補正情報の各々を独立して設定可能にすることができる。
【０１２０】
（１０）また、上記（１）の画像処理装置８００において、設定部８０４は、各補正情報を一括して設定してもよい。これにより、３以上の空間周波数帯域の各補正情報をまとめて即座に設定することができる。
【０１２１】
（１１）また、上記（１０）の画像処理装置８００において、設定部８０４は、各補正情報と連動する特定の補正情報を指定可能な指定範囲を表示画面に表示させ、指定範囲内の特定の補正情報が指定されると各補正情報を一括して設定してもよい。これにより、補正の際の利便性の向上を図ることができる。
【０１２２】
（１２）また、上記（１）の画像処理装置８００は、送信先を選択する選択部１３０２を有し、設定部８０４は、選択部１３０２によって選択された特定の送信先に基づいて、各補正情報を設定してもよい。これにより、送信先に適した空間周波数帯域の調整をおこなうことができる。
【０１２３】
（１３）また、上記（１２）の画像処理装置８００は、補正部８０５によって補正された補正後の画像データを特定の送信先に送信する送信部１３０３を有してもよい。これにより、送信先に適した空間周波数帯域の調整がおこなわれた画像データを送信先に送り、送信先に適した画像を送信先で出力することができる。
【０１２４】
（１４）また、上記（１２）の画像処理装置８００は、複数の送信先の各々について画像データを生成する生成部８０３と、生成部８０３によって生成された画像データを送信する送信部１３０３と、を有し、設定部８０４は、画像データの複数の送信先の各々について、送信先に基づいて各補正情報を設定し、補正部８０５は、複数の送信先の各々の画像データについて、送信先に基づいて設定された各補正情報を用いて補正し、送信部１３０３は、補正部８０５によって補正された複数の画像データのうち、特定の送信先について補正された画像データを、特定の送信先に送信してもよい。これにより、特定の送信先が未選択の状態で画像データを送信先ごとに補正することができ、利便性の向上を図ることができる。
【０１２５】
（１５）また、情報処理装置１７００は、３以上の空間周波数帯域の輪郭強調処理やノイズ低減処理に関する補正情報の各々を独立して設定可能にする設定部８０４と、設定部８０４によって設定された各補正情報と、各補正情報を用いる補正対象の画像データとを、送信先に送信する送信部１３０３と、を有する。これにより、ユーザが、画像の輪郭強調処理やノイズ低減処理を適切に設定することができる。
【０１２６】
なお、本発明は上記の内容に限定されるものではなく、これらを任意に組み合わせたものであってもよい。また、本発明の技術的思想の範囲で考えられるその他の態様も本発明の範囲に含まれる。
【符号の説明】
【０１２７】
１０１〜１０４  グラフ、２００、１２０１〜１２０３  設定情報、３００  設定画面、７００  撮像装置、７０１  プロセッサ、７０２  記憶デバイス、７０５  撮像素子、７０８  操作デバイス、７１０  表示デバイス、７２０  撮像部、８００  画像処理装置、８０１  記憶部、８０２  取得部、８０３  生成部、８０４  設定部、８０５  補正部、８０６  表示部、１３０２  選択部、１３０３  送信部、１７００  情報処理装置、２１００  分割部
【図１】
2019220746.tif 000003
【図２】
2019220746.tif 000004
【図３】
2019220746.tif 000005
【図４】
2019220746.tif 000006
【図５】
2019220746.tif 000007
【図６】
2019220746.tif 000008
【図７】
2019220746.tif 000009
【図８】
2019220746.tif 000010
【図９】
2019220746.tif 000011
【図１０】
2019220746.tif 000012
【図１１】
2019220746.tif 000013
【図１２】
2019220746.tif 000014
【図１３】
2019220746.tif 000015
【図１４】
2019220746.tif 000016
【図１５】
2019220746.tif 000017
【図１６】
2019220746.tif 000018
【図１７】
2019220746.tif 000019
【図１８】
2019220746.tif 000020
【図１９】
2019220746.tif 000021
【図２０】
2019220746.tif 000022
【図２１】
2019220746.tif 000023
【図２２】
2019220746.tif 000024